(57)【要約】      （修正有）【課題】個々のトレーに直接加工を施すことなく、簡単な構造で、セキュリティーを確保することができるようにした、使い勝手のよいトレーキャビネットを提供する。【解決手段】前面が開口する筐体１の物品収容空間内に、複数のトレー７を前方に引き出し可能として装着し、かつ筐体１に、扉９を、物品収容空間の前面を閉塞する閉止位置と、筐体１内に収容され、かつ物品収容空間の前面を開放する開放位置とに移動可能として装着し、さらに適所に、扉９を、閉止状態で施錠しうる施錠装置を設ける。【選択図】図２
2008119267.tif 000002
【特許請求の範囲】
【請求項１】
前面が開口する筐体における物品収容空間内に、複数のトレーを前方に引き出し可能として装着し、かつ前記筐体に、扉を、前記物品収容空間の前面を閉塞する閉止位置と、筐体内に収容され、かつ前記物品収容空間の前面を開放する開放位置とに移動可能として装着し、さらに適所に、前記扉を、閉止状態で施錠しうる施錠装置を設けたことを特徴とするトレーキャビネット。
【請求項２】
物品収容空間を形成する筐体の両側板の互いに対向する内面上部に、閉止位置としたときの扉の下端を前上方に回動させて、扉をほぼ水平とした後、後方に押し込むことにより、ほぼ水平の開放位置として保持しうるようにした扉案内手段を設けた請求項１記載のトレーキャビネット。
【請求項３】
扉案内手段が、閉止位置としたときの扉の上端両側部に、左右方向を向く軸をもって枢着された左右１対の摺動体と、物品収容空間を形成する筐体の両側板の互いに対向する内面上部に設けられ、前記摺動体と扉の両側部とを、前後動可能に案内する前後方向を向くガイドレールとを備えている請求項２記載のトレーキャビネット。
【請求項４】
筐体内に、一または複数の仕切板を設けることにより、上下複数段の物品収容空間を形成し、各物品収容空間内に、複数のトレーと扉とを設け、各扉を、互いに独立して施錠しうる施錠装置を設けた請求項１〜３のいずれかに記載のトレーキャビネット。
【請求項５】
筐体内に、一または複数の仕切板を設けることにより、上下複数段の物品収容空間を形成し、各物品収容空間内に、複数のトレーと扉とを設け、かつ前記筐体に、各扉を、一括して施錠しうるようにした施錠装置を設けた請求項１〜３のいずれかに記載のトレーキャビネット。
【請求項６】
施錠装置を、一部の扉が開放位置に位置し、かつ他の扉が閉止位置に位置している状態で、閉止位置に位置している扉のみを、一括して施錠しうるものとした請求項５記載のトレーキャビネット。
【請求項７】
施錠装置が、筐体における側板の内面に上下動可能として装着された昇降杆と、各扉に対応して、前記側板の内面における前記昇降杆より前方の部分に枢着され、後端部が前記昇降杆に連結され、昇降杆の上昇により、前端部に設けたフックが、対応する各扉に係合して、各扉を、閉止位置に拘束するようにした係合杆と、筐体の前面適所に設けられたシリンダ錠と、このシリンダ錠の施錠操作により、前記昇降杆を上昇させるように、前記シリンダ錠と昇降杆とを連係する連係手段とを備えている請求項５または６記載のトレーキャビネット。
【発明の詳細な説明】
【技術分野】
【０００１】
本発明は、オフィス等の執務空間において、書類、紙箋、小物品等を小分けして収容しうるようにしたトレーキャビネットに関する。
【背景技術】
【０００２】
従来のこの種のトレーキャビネットとしては、例えば特許文献１〜４に記載されているようなものがある。
【特許文献１】特開平０７−０６７７３７号公報
【特許文献２】特開平０８−１５４７５４号公報
【特許文献３】特開平０８−２４４３９３号公報
【特許文献４】特開平１１−１６９２４６号公報
【発明の開示】
【発明が解決しようとする課題】
【０００３】
しかし、上記特許文献１〜４に記載されているトレーキャビネットは、いずれも、各トレーが薄型かつ小型であり、これらに施錠装置を設けようとすると、構造が複雑となり、高価につくので、施錠装置を設けたものがないのが現状である。
【０００４】
そのため、従来のトレーキャビネットは、セキュリティーが必要とされる場合には使用されることはなかったが、近年、このようなものにも、セキュリティーが要求されるようになってきている。
【０００５】
本発明は、従来の技術が有する上記のような問題点に鑑み、個々のトレーに直接加工を施すことなく、簡単な構造で、セキュリティーを確保することができるようにした、使い勝手のよいトレーキャビネットを提供することを目的としている。
【課題を解決するための手段】
【０００６】
本発明によると、上記課題は、次のようにして解決される。
（１）前面が開口する筐体における物品収容空間内に、複数のトレーを前方に引き出し可能として装着し、かつ前記筐体に、扉を、前記物品収容空間の前面を閉塞する閉止位置と、筐体内に収容され、かつ前記物品収容空間の前面を開放する開放位置とに移動可能として装着し、さらに適所に、前記扉を、閉止状態で施錠しうる施錠装置を設ける。
【０００７】
（２）上記(１)項において、物品収容空間を形成する筐体の両側板の互いに対向する内面上部に、閉止位置としたときの扉の下端を前上方に回動させて、扉をほぼ水平とした後、後方に押し込むことにより、ほぼ水平の開放位置として保持しうるようにした扉案内手段を設ける。
【０００８】
（３）上記(２)項において、扉案内手段が、閉止位置としたときの扉の上端両側部に、左右方向を向く軸をもって枢着された左右１対の摺動体と、物品収容空間を形成する筐体の両側板の互いに対向する内面上部に設けられ、前記摺動体と扉の両側部とを、前後動可能に案内する前後方向を向くガイドレールとを備えるものとする。
【０００９】
（４）上記(１)〜(３)項のいずれかにおいて、筐体内に、一または複数の仕切板を設けることにより、上下複数段の物品収容空間を形成し、各物品収容空間内に、複数のトレーと扉とを設け、かつ各扉を、互いに独立して施錠しうる施錠装置を設ける。
【００１０】
（５）上記(１)〜(３)項のいずれかにおいて、筐体内に、一または複数の仕切板を設けることにより、上下複数段の物品収容空間を形成し、各物品収容空間内に、複数のトレーと扉とを設け、前記筐体に、各扉を、一括して施錠しうるようにした施錠装置を設ける。
【００１１】
（６）上記(５)項において、施錠装置を、一部の扉が開放位置に位置し、かつ他の扉が閉止位置に位置している状態で、閉止位置に位置している扉のみを、一括して施錠しうるものとする。
【００１２】
（７）上記(５)または(６)項において、施錠装置が、筐体における側板の内面に上下動可能として装着された昇降杆と、各扉に対応して、前記側板の内面における前記昇降杆より前方の部分に枢着され、後端部が前記昇降杆に連結され、昇降杆の上昇により、前端部に設けたフックが、対応する各扉に係合して、各扉を、閉止位置に拘束するようにした係合杆と、筐体の前面適所に設けられたシリンダ錠と、このシリンダ錠の施錠操作により、前記昇降杆を上昇させるように、前記シリンダ錠と昇降杆とを連係する連係手段とを備えるものとする。
【発明の効果】
【００１３】
本発明によると、次のような効果を奏することができる。
請求項１記載の発明によると、複数のトレーを収容した物品収容空間の前端開口部に、開閉式の扉を設け、この扉を、施錠装置により施錠するようにしてあるので、個々のトレーに直接加工を施すことなく、簡単な構造で、セキュリティーを確保することができ、しかも、扉を開くことにより、その後方の物品収容空間に収容されているすべてのトレーを自由に引き出すことができるので、使い勝手がよい。
【００１４】
請求項２記載の発明によると、扉を開放位置としたとき、扉の大部分は物品収容空間内に収容されるので、トレーの引出し時に、扉が妨げとなることがなく、使い勝手がよい。
【００１５】
請求項３記載の発明によると、扉案内手段の構造を簡素化することができるとともに、扉を円滑に開閉することができる。
【００１６】
請求項４記載の発明によると、使用したいトレーが入っている物品収容空間の前方の扉のみを解錠して、扉を開き、他の扉を施錠したままとしておくことができるので、セキュリティーを高めることができる。
【００１７】
請求項５記載の発明によると、１個の施錠装置を施錠操作するだけで、複数の扉を一括して施錠しうるので、操作性がよい。
【００１８】
請求項６記載の発明によると、施錠装置を、一部の扉が開放位置に位置し、かつ他の扉が閉止位置に位置している状態で、閉止位置に位置している扉のみを、一括して施錠しうるものとしてあるので、キャビネットの使い方に、種々のバリエーションを付加することができる。
【００１９】
請求項７記載の発明によると、施錠装置の構造を簡素化し、安価に製造することができる。
【発明を実施するための最良の形態】
【００２０】
以下、本発明の実施形態を、図面に基づいて説明する。
図１〜図４は、本発明の第１の実施形態を示す。
図１〜図３に示すように、このトレーキャビネットは、前面が開口する筐体１を備えている。
【００２１】
筐体１は、左右１対の側板２、２と、その上端部同士を連結する上面板３と、同じく下端部同士を連結する下框４と、それらの後面を覆う後面板５と、両側板２、２間に架設された上下２段の仕切板６、６とを備えており、上下２段の仕切板６、６により、筐体１内には、上下３段の物品収容空間Ｓが形成されている。
【００２２】
筐体１内の各物品収容空間Ｓ内には、上下方向に５段、左右方向に３列とした多数のトレー７を、前方に引き出し可能として収容するトレー収容ケース８が、各物品収容空間Ｓの上部に、後述する扉９を収容するための空間を残すようにして、設けられている。
【００２３】
筐体１における各物品収容空間Ｓの前部には、前面中央部に手掛け部９ａが設けられた扉９が、物品収容空間Ｓを閉塞する閉止位置(図１および図２における中段と下段の扉９参照)と、物品収容空間Ｓの上部にほぼ水平として収容され、かつ物品収容空間Ｓの前面を開放する開放位置(図１および図２における上段の扉９参照)とに移動可能として装着されている。
【００２４】
各扉９は、扉案内手段１０により、閉止位置としたときの扉９の上端部を回動中心として、その下端部を、前上方に回動して、ほぼ水平とした後、後方に押し込むことにより、大部分が物品収容空間Ｓの上部にほぼ水平として収容された開放位置に到達するように、およびその逆方向に移動しうるように、案内されている。
【００２５】
具体的には、扉案内手段１０は、閉止位置としたときの扉９の上端両側部に、左右方向を向く軸１１をもって枢着された左右１対の摺動体１２と、各物品収容空間Ｓを形成する筐体１の両側板２、２の互いに対向する内面上部に設けられ、摺動体１２と扉９の両側部とを、前後動可能として案内する前後方向を向くガイドレール１３とを備えている。
【００２６】
両側板２、２の内面における各ガイドレール１３の前端部の下方には、ガイドレール１３への扉９の挿入を円滑に案内するための滑子１４が設けられており、この滑子１４の後端には、摺動体１２が、ガイドレール１３内の前限に到達したとき、摺動体１２の下面より下向に突出する突起１２ａが当接して、摺動体１２のそれ以上の前進を阻止するストッパ１４ａが設けられている。
摺動体１２がストッパ１４ａに当接したとき、軸１１は、ガイドレール１３の前端縁より前方に突出し、扉９は、閉止位置と図３に想像線で示す水平位置との間を、軸１１を中心として、自由に回動することができるようになっている。
【００２７】
筐体１には、各扉９を一括して施錠しうる施錠装置１５が設けられている。
この例では、施錠装置１５は、図３および図４に示すように、筐体１における両側板２、２の内面に設けた上下方向を向く凹溝１６内に上下動可能として装着された昇降杆１７と、各扉９に対応して、側板２の内面における昇降杆１７より前方の部分に、左右方向を向く軸１８をもって枢着され、かつ後端部に設けた前後方向を向く長孔１９が、昇降杆１７の内面に突設したピン２０に係合することにより、昇降杆１７に連結された係合杆２１と、筐体１における上面板３の前面中央部に設けられたシリンダ錠２２と、このシリンダ錠２２の施錠操作により、昇降杆１７を上昇させるように、シリンダ錠２２と昇降杆１７とを連係する連係手段２３とを備えている。
【００２８】
連係手段２３は、上面板３内に後縁部を支持させた左右方向を向く揺動板２４の両端前部を、狭幅として、左右の昇降杆１７、１７の上端部に設けた係合孔２５に嵌合し、揺動板２４の前端面中央部に設けた左右方向を向く長孔２６に、シリンダ錠２２におけるロータ(図示略)の後端面に突設したピン２７を嵌合し、シリンダ錠２２にキー(図示略)を挿入して、キーとともにロータを解錠位置から施錠位置へ回動させることによって、ピン２７により、揺動板２４の前縁部と、左右の昇降杆１７、１７とが、同時に上昇させられるようにしたものとしてある。
【００２９】
キーとともにロータを施錠位置から解錠位置へ戻すと、ピン２７により、揺動板２４の前縁部と、左右の昇降杆１７、１７とは、元の下降位置に戻される。なお、各昇降杆１７は、ばね(図示略)等をもって、常時下向に付勢しておくのが望ましい。
【００３０】
各係合杆２１の前端部には、側面視下向鉤形のフック２１ａが設けられており、シリンダ錠２２の施錠操作により、各昇降杆１７が上昇させられたとき、前端部のフック２１ａが下向きに回動して、閉止位置に位置している扉９の後面両側縁部に設けた縦長の係合孔２８の下縁に係合し、各扉９を、閉止位置に拘束するようになっている。
【００３１】
トレー収容ケース８の前面における両側下部には、扉９の裏面に吸着して、扉９を閉止位置に保持するマグネットキャッチ２９が設けられている。
【００３２】
第１の実施形態は、上述したように、複数のトレー７を収容した物品収容空間Ｓの前端開口部に、開閉式の扉９を設け、この扉９を、施錠装置１５により施錠するようにしてあるので、個々のトレー７に直接加工を施すことなく、簡単な構造で、セキュリティーを確保することができ、しかも、扉９を開くことにより、その後方の物品収容空間Ｓに収容されているすべてのトレー７を自由に引き出すことができるので、使い勝手がよい。
【００３３】
図５および図６は、本発明の第２の実施形態を示す。なお、第１の実施形態と同一の部材には、同一の符号を付して示し、それらについての詳細な説明は省略する。
この実施形態においては、各扉９の直下の仕切板６および下框４の前面中央部に、シリンダ錠３０を設け、このシリンダ錠３０にキー(図示略)を挿入して、キーとともにロータ(図示略)を解錠位置から施錠位置へ回動させることにより、ロータの後端に固着した係止片３１を、図５における中間のシリンダ錠３０に関して想像線で示すように、側方を向く解錠位置から、同じく図５に破線で、また図６に実線で示すように、上方を向く施錠位置に回動させ、係止片３１の先端部を、閉止位置としたときの扉９の下端面に設けた係合孔３２に係合させて、扉９を閉止位置に拘束するようにしてある。
【００３４】
キーとともにロータを施錠位置から解錠位置へ回動させると、係止片３１は、扉９の係合孔３２から離脱し、元の解錠位置へ復帰させられ、扉９を開くことができる。
【００３５】
第２の実施形態においては、各扉９を、互いに独立して施錠しうるようにした施錠装置を設けてあるので、使用したいトレー７が入っている物品収容空間Ｓの前方の扉９のみを解錠して、扉９を開き、他の扉９を施錠したままとしておくことができるので、セキュリティーを高めることができる。
【００３６】
本発明は、上記の実施形態のみに制限されるものではなく、特許請求の範囲を逸脱しない範囲で、変形した態様での実施が可能である。
例えば、第１の実施形態においては、昇降杆１７、係合杆２１等をそれぞれ左右１対ずつ設け、それらを、単一のシリンダ錠２２と連係手段２３とにより、互いに同期して昇降させるようにしてあるが、昇降杆１７、係合杆２１等は、左右の側板２、２のいずれか一方のみに設けるだけでもよい。
【００３７】
また、扉案内手段１０を、閉止位置としたときの扉９の上端を前下方に回動させて、扉９をほぼ水平とした後、仕切板６等の下方の空間に、後方に向けて押し込むことにより、ほぼ水平の開放位置として保持するようなものとしてもよい。
【図面の簡単な説明】
【００３８】
【図１】本発明のトレーキャビネットの第１の実施形態の正面図である。
【図２】図１のII−II線に沿う拡大縦断側面図である。
【図３】図１のIII−III線に沿う拡大縦断側面図である。
【図４】施錠装置の概要を示す斜視図である。
【図５】本発明のトレーキャビネットの第２の実施形態の正面図である。
【図６】図１のVI−VI線に沿う拡大縦断側面図である。
【符号の説明】
【００３９】
１  筐体
２  側板
３  上面板
４  下框
５  後面板
６  仕切板
７  トレー
８  トレー収容ケース
９  扉
９ａ手掛け部
１０  扉案内手段
１１  軸
１２  摺動体
１２ａ突起
１３  ガイドレール
１４  滑子
１４ａストッパ
１５  施錠装置
１６  凹溝
１７  昇降杆
１８  軸
１９  長孔
２０  ピン
２１  係合杆
２１ａフック
２２  シリンダ錠
２３  連係手段
２４  揺動板
２５  係合孔
２６  長孔
２７  ピン
２８  係合孔
２９  マグネットキャッチ
３０  シリンダ錠
３１  係止片
３２  係合孔
Ｓ  物品収容空間
【図１】
2008119267.tif 000003
【図２】
2008119267.tif 000004
【図３】
2008119267.tif 000005
【図４】
2008119267.tif 000006
【図５】
2008119267.tif 000007
【図６】
2008119267.tif 000008